(57)【要約】      （修正有）【課題】操作が容易になり、そして厚さが薄い滑り蓋式歯用矯正器を提供する。【解決手段】矯正ベース１０と、閉鎖滑り蓋２０と、を含む滑り蓋式歯用矯正器において、矯正ベースは、支持枠部１１と、上部支持部１２と、傾斜台と、メーンワイヤ溝と、滑り蓋レールと、括り部と、を含み、メーンワイヤ溝が上部支持部と傾斜台１３の間に設けられ、支持枠部は、歯に粘着するための粘着面１１１を有し、支持枠部の粘着面の反対面に傾斜台が設けられ、括り部１６が上部支持部に設けられ、閉鎖滑り蓋は、平面部２１と、止め部２２と、を含み、平面部は、滑り蓋上面と、滑り蓋下面と、を含み、滑り蓋下面に二つの規制溝が設けられ、止め部が平面部の滑り蓋下面に固定され、平面部の両側が傾斜台の滑り蓋レールに摺動可能に設けられ、二つの凸部がそれぞれ二つの規制溝に収容される。【選択図】図１
0003157270.tif 000002
【実用新案登録請求の範囲】
【請求項１】
矯正ベースと、閉鎖滑り蓋と、を含む滑り蓋式歯用矯正器において、
前記矯正ベースは、支持枠部と、上部支持部と、傾斜台と、メーンワイヤ溝と、滑り蓋レールと、括り部と、を含み、前記メーンワイヤ溝が前記上部支持部と前記傾斜台の間に設けられ、前記支持枠部は、歯に粘着するための粘着面を有し、前記支持枠部の前記粘着面の反対面に前記傾斜台が設けられ、前記括り部が前記上部支持部に設けられ、前記傾斜台が上面を有し、前記滑り蓋レールが前記傾斜台の前記上面に設けられ、前記上面には、二つの凸部と、前記二つの凸部の間に設けられる規制縁と、が設けられ、前記二つの凸部と前記規制縁が前記滑り蓋レール内に設けられ、
前記閉鎖滑り蓋は、平面部と、止め部と、を含み、前記平面部は、滑り蓋上面と、滑り蓋下面と、を含み、前記滑り蓋下面に二つの規制溝が設けられ、前記止め部が前記平面部の前記滑り蓋下面に固定され、前記平面部の両側が前記傾斜台の前記滑り蓋レールに摺動可能に設けられ、前記二つの凸部がそれぞれ前記二つの規制溝に収容され、前記止め部が前記規制縁に止められるときには、前記メーンワイヤ溝が前記閉鎖滑り蓋に閉鎖され、前記止め部が前記規制縁を通過し前記二つの凸部がそれぞれ前記二つの規制溝に規制されるときには、前記メーンワイヤ溝が開放状態になり矯正ワイヤを取付けることができ、これにより、前記矯正ワイヤが前記メーンワイヤ溝内に定位されることを特徴とする、滑り蓋式歯用矯正器。
【請求項２】
前記括り部はほぼＴ字形を呈し、前記止め部は円弧形状を呈する弾性片であり、前記弾性片の両端が前記閉鎖滑り蓋の前記滑り蓋下面に固定され、前記閉鎖滑り蓋は、更に、円弧縁を有する下端を含むことを特徴とする、請求項１に記載の滑り蓋式歯用矯正器。
【請求項３】
前記閉鎖滑り蓋の前記平面部の前記滑り蓋上面には、更に、定位溝が設けられ、前記定位溝の内部には、更に、定位穴が設けられ、前記定位溝の両側には、ガイド縁が伸び、前記ガイド縁により補助工具がガイドされ前記定位穴に位置合せすることができ、前記二つの凸部は、前記規制縁と連接し、前記規制縁と一つの直線に並び、前記直線が前記滑り蓋レールと直交することを特徴とする、請求項１に記載の滑り蓋式歯用矯正器。
【考案の詳細な説明】
【技術分野】
【０００１】
本考案は、歯用矯正器に関し、特に、滑り蓋式歯用矯正器に関するものである。
【背景技術】
【０００２】
図１０及び図１１に示すように、従来の滑り蓋式歯用矯正器６０は、極めて厚いため、ユーザの唇および舌に不快感を与え、歯７０の外側に組付ける場合には、唇が滑り蓋式歯用矯正器６０と接触して不快に感じ、なお、歯７０の内側に組付ける場合には、舌が滑り蓋式歯用矯正器６０と接触して不快に感じる。また、従来の滑り蓋式歯用矯正器６０は、弾性片を有し、従来の滑り蓋式歯用矯正器６０を利用する場合には、補助工具９０によって前記弾性片を精確に押付けて前記滑り蓋８１を引出すことが必要であるため、操作が困難であり、そして厚さが厚いことによって、ユーザの唇および舌に不快感を与える問題は解決できない。
【考案の概要】
【考案が解決しようとする課題】
【０００３】
本考案の主な目的は、操作が容易になり、そして厚さが薄い滑り蓋式歯用矯正器を提供することにある。
【課題を解決するための手段】
【０００４】
本考案の滑り蓋式歯用矯正器によると、矯正ベースと、閉鎖滑り蓋と、を含む滑り蓋式歯用矯正器において、前記矯正ベースは、支持枠部と、上部支持部と、傾斜台と、メーンワイヤ溝と、滑り蓋レールと、括り部と、を含む。前記メーンワイヤ溝が前記上部支持部と前記傾斜台の間に設けられ、前記支持枠部は、歯に粘着するための粘着面を有し、前記支持枠部の前記粘着面の反対面に前記傾斜台が設けられ、前記括り部が前記上部支持部に設けられ、前記傾斜台が上面を有し、前記滑り蓋レールが前記傾斜台の前記上面に設けられ、前記上面には、二つの凸部と、前記二つの凸部の間に設けられる規制縁と、が設けられ、前記二つの凸部と前記規制縁が前記滑り蓋レール内に設けられる。前記閉鎖滑り蓋は、平面部と、止め部と、を含み、前記平面部は、滑り蓋上面と、滑り蓋下面と、を含む。前記滑り蓋下面に二つの規制溝が設けられ、前記止め部が前記平面部の前記滑り蓋下面に固定され、前記平面部の両側が前記傾斜台の前記滑り蓋レールに摺動可能に設けられ、前記二つの凸部がそれぞれ前記二つの規制溝に収容され、前記止め部が前記規制縁に止められるときには、前記メーンワイヤ溝が前記閉鎖滑り蓋に閉鎖され、前記止め部が前記規制縁を通過し前記二つの凸部がそれぞれ前記二つの規制溝に規制されるときには、前記メーンワイヤ溝が開放状態になり矯正ワイヤを取付けることができ、これにより、前記矯正ワイヤが前記メーンワイヤ溝内に定位されることを特徴とする。
【０００５】
本考案の滑り蓋式歯用矯正器によると、前記括り部はほぼＴ字形を呈し、前記止め部は円弧形状を呈する弾性片であり、前記弾性片の両端が前記閉鎖滑り蓋の前記滑り蓋下面に固定され、前記閉鎖滑り蓋は、更に、円弧縁を有する下端を含むことを特徴とする。
【０００６】
本考案の滑り蓋式歯用矯正器によると、前記閉鎖滑り蓋の前記平面部の前記滑り蓋上面には、更に、定位溝が設けられ、前記定位溝の内部には、更に、定位穴が設けられ、前記定位溝の両側には、ガイド縁が伸び、前記ガイド縁により補助工具がガイドされ前記定位穴に位置合せすることができ、前記二つの凸部は、前記規制縁と連接し、前記規制縁と一つの直線に並び、前記直線が前記滑り蓋レールと直交することを特徴とする。
【考案の効果】
【０００７】
本考案の滑り蓋式歯用矯正器によれば、次のような効果がある。
（１）閉鎖滑り蓋の止め部および矯正ベースなどにより、開閉状態を調整することができ、取外し、又は矯正ワイヤの組付が便利になり、操作が容易になる。
【０００８】
（２）閉鎖滑り蓋および矯正ベースなどにより、本考案の滑り蓋式歯用矯正器の厚さが従来のものよりも薄く、厚さが厚いことによるユーザの唇および舌に不快感を与える問題は解決できる。
【０００９】
（３）本考案に係る矯正ベースは、歯の外側に組付けることができ、歯の内側に組付けることもでき、歯の内側に組付けられる場合には、矯正ベースが外部に露出しないため、見栄えが良くなる。
【図面の簡単な説明】
【００１０】
【図１】本考案の一実施例の滑り蓋式歯用矯正器の分解斜視図である。
【図２】本考案の一実施例の滑り蓋式歯用矯正器の別の視点から見た分解斜視図である。
【図３】本考案の一実施例の滑り蓋式歯用矯正器の別の視点から見た分解斜視図である。
【図４】本考案の一実施例の滑り蓋式歯用矯正器の剖開された状態の斜視図である。
【図５】本考案の一実施例の滑り蓋式歯用矯正器の開けられた状態の断面図である。
【図６】本考案の一実施例の滑り蓋式歯用矯正器の閉じられた状態の断面図である。
【図７】本考案の一実施例の滑り蓋式歯用矯正器の開けられた状態の別の断面図である。
【図８】本考案の一実施例の滑り蓋式歯用矯正器が歯の外側に適用される状態の模式図である。
【図９】本考案の一実施例の滑り蓋式歯用矯正器が歯の内側に適用される状態の模式図である。
【図１０】従来の滑り蓋式歯用矯正器の構造を示す模式図である。
【図１１】従来の別の滑り蓋式歯用矯正器の構造を示す模式図である。
【考案を実施するための形態】
【００１１】
以下、本考案の実施の形態を図面に基づいて説明する。
まず、図１乃至図９を参照する。本考案の一実施例の滑り蓋式歯用矯正器は、矯正ベース１０と、閉鎖滑り蓋２０と、を含む。前記矯正ベース１０は、支持枠部１１と、上部支持部１２と、傾斜台１３と、メーンワイヤ溝１４と、滑り蓋レール１５と、括り部１６と、を含む。前記メーンワイヤ溝１４が前記上部支持部１２と前記傾斜台１３の間に設けられ、前記支持枠部１１は、歯に粘着するための粘着面１１１を有し、前記支持枠部１１の前記粘着面１１１の反対面に前記傾斜台１３が設けられ、前記括り部１６が前記上部支持部１２に設けられ、前記傾斜台１３が上面を有し、前記滑り蓋レール１５が前記傾斜台１３の前記上面に設けられ、前記上面には、二つの凸部１３２と、前記二つの凸部１３２の間に設けられる規制縁１３１と、が設けられ、前記二つの凸部１３２と前記規制縁１３１が前記滑り蓋レール１５内に設けられる。前記閉鎖滑り蓋２０は、平面部２１と、止め部２２と、を含み、前記平面部２１は、滑り蓋上面２１１と、滑り蓋下面２１２と、を含む。前記滑り蓋下面２１２に二つの規制溝２１２１が設けられ、前記止め部２２が前記平面部２１の前記滑り蓋下面２１２に固定され、前記平面部２１の両側が前記傾斜台１３の前記滑り蓋レール１５に摺動可能に設けられ、前記二つの凸部１３２がそれぞれ前記二つの規制溝２１２１に収容される。前記止め部２２が前記規制縁１３１に止められるときには、前記メーンワイヤ溝１４が前記閉鎖滑り蓋２０に閉鎖され、前記止め部２２が前記規制縁１３１を通過し前記二つの凸部１３２がそれぞれ前記二つの規制溝２１２１に規制されるときには、前記メーンワイヤ溝１４が開放状態になり矯正ワイヤ４０を取付けることができ、これにより、前記矯正ワイヤ４０が前記メーンワイヤ溝１４内に定位される。
【００１２】
前記括り部１６には、更に、括りワイヤ（図示せず）又は弾性子が設けられ、前記括りワイヤの伸縮力により、前記矯正ベース１０と前記矯正ワイヤ４０が緊密に結合し、これにより、歯を矯正することができる。
【００１３】
また、前記括り部１６はほぼＴ字形を呈する。
また、前記止め部２２は円弧形状を呈する弾性片であり、前記弾性片の両端が前記閉鎖滑り蓋２０の前記滑り蓋下面２１２に固定される。
【００１４】
また、前記閉鎖滑り蓋２０の前記平面部２１の前記滑り蓋上面２１１には、更に、定位溝２１１１が設けられ、前記定位溝２１１１の内部には、更に、定位穴２１１２が設けられ、前記定位溝２１１１の両側には、ガイド縁２１１３が伸び、前記ガイド縁２１１３により補助工具がガイドされ前記定位穴２１１２に位置合せすることができる。
【００１５】
また、前記閉鎖滑り蓋２０は、更に、円弧縁２３を有する下端を含み、前記円弧縁２３により、前記補助工具の前記閉鎖滑り蓋２０への移動を定位することができる。
また、前記二つの凸部１３２は、前記規制縁１３１と連接し、前記規制縁１３１と一つの直線に並び、前記直線が前記滑り蓋レール１５と直交する。
【００１６】
図８及び図９を参照する。本考案に係る矯正ベース１０は、歯３０の外側に組付けることができ、歯３０の内側に組付けることもでき、歯３０の内側に組付けられる場合には、前記矯正ベース１０が外部に露出しないため、見栄えが良くなる。そうすると、簡単な構成で歯をより良く矯正することができる。
【産業上の利用可能性】
【００１７】
本考案は、歯用矯正器に適用することができる。
【符号の説明】
【００１８】
１０：矯正ベース、１１：支持枠部、１２：上部支持部、１３：傾斜台、１４：メーンワイヤ溝、１５：滑り蓋レール、１６：括り部、２０：閉鎖滑り蓋、２１：平面部、２２：止め部、２３：円弧縁、３０：歯、４０：矯正ワイヤ、６０：矯正器、７０：歯、８０：矯正器、８１：滑り蓋、９０：補助工具、１１１：粘着面、１３１：規制縁、１３２：凸部、２１１：滑り蓋上面、２１２：滑り蓋下面、２１１１：定位溝、２１１２：定位穴、２１１３：ガイド縁、２１２１：規制溝。
【図１】
0003157270.tif 000003
【図２】
0003157270.tif 000004
【図３】
0003157270.tif 000005
【図４】
0003157270.tif 000006
【図５】
0003157270.tif 000007
【図６】
0003157270.tif 000008
【図７】
0003157270.tif 000009
【図８】
0003157270.tif 000010
【図９】
0003157270.tif 000011
【図１０】
0003157270.tif 000012
【図１１】
0003157270.tif 000013